(57)【特許請求の範囲】
【請求項１】
熱源側冷媒を圧縮する圧縮機、前記熱源側冷媒の循環経路を切り替えるための冷媒流路切替装置、前記熱源側冷媒を熱交換させるための熱源側熱交換器、前記熱源側冷媒を圧力調整するための絞り装置及び前記熱源側冷媒と前記熱源側冷媒とは異なる熱媒体との熱交換を行なう１又は複数の熱媒体間熱交換器を配管接続して構成する冷媒循環回路と、
前記熱媒体間熱交換器の熱交換に係る前記熱媒体を循環させるための１又は複数のポンプ、前記熱媒体と空調対象空間に係る空気との熱交換を行なう複数の利用側熱交換器、該利用側熱交換器に対する加熱された前記熱媒体の通過又は冷却された前記熱媒体の通過を切り替える流路切替装置および複数の前記利用側熱交換器に対応して設置され、各利用側熱交換器を通過する前記熱媒体の流量を調整する複数の熱媒体流量調整装置とを配管接続して構成し、内部の空気を放出させる１又は複数の空気抜き弁を有する熱媒体循環回路と、
前記熱媒体循環回路を施工したときに、前記冷媒循環回路が前記熱媒体を加熱し、前記熱媒体循環回路の前記ポンプを駆動して、前記熱媒体循環回路内の空気を抜く空気抜き運転を、設置時に実行する制御装置とを備え、
前記制御装置は、前記空気抜き運転において、前記熱媒体流量調整装置を制御して空気抜きをする流路を選択し、全流路の空気抜きを複数回の流路選択により行なう空気調和装置。
【請求項２】
前記熱媒体循環回路は、前記ポンプの吸引側に設置されて熱媒体内に含まれる異物を捕捉するストレーナをさらに有し、
前記制御装置は、前記熱媒体循環回路を施工したときに前記熱媒体循環回路内の異物を前記ストレーナに捕捉させる異物除去運転を実行する請求項１に記載の空気調和装置。
【請求項３】
前記制御装置は、前記運転を自動制御で行う請求項１又は２に記載の空気調和装置。
【請求項４】
前記運転の実行に係るデータを記録する記憶装置をさらに備え、
前記制御装置は、前記運転を実行すると、前記運転の実行に係るデータを前記記憶装置に記録する処理を行う請求項１〜３のいずれか一項に記載の空気調和装置。
【請求項５】
前記ポンプより高く、前記ポンプの揚程以上の位置に前記利用側熱交換器を有する室内機及び／又は前記配管を設置する場合には、前記室内機及び／又は前記配管に、前記熱媒体を供給する熱媒体供給口を設ける請求項１〜４のいずれか一項に記載の空気調和装置。
【請求項６】
前記運転の自動制御を指示するスイッチをさらに備える請求項３〜５のいずれか一項に記載の空気調和装置。
【請求項７】
表示装置をさらに備え、
前記制御装置は、前記記憶装置に記録した前記運転の実行に係るデータを前記表示装置に表示させる処理を行う請求項４〜６のいずれか一項に記載の空気調和装置。
【発明の詳細な説明】
【技術分野】
【０００１】
本発明は、たとえばビル用マルチエアコン等に適用される空気調和装置に関するものである。
【背景技術】
【０００２】
空気調和装置には、ビル用マルチエアコンなどのように、熱源機（室外機）が建物外に配置され、室内機が建物の室内に配置されたものがある。このような空気調和装置の冷媒回路を循環する冷媒は、室内機の熱交換器に供給される空気に放熱（吸熱）して、当該空気を加温又は冷却する。そして、室内機が加温又は冷却された空気を、空調対象空間に送り込んで室内空間（空調対象空間）の暖房又は冷房を行うようになっている。
このような空気調和装置は、通常ビルが壁等により仕切られた室内空間を複数有しているので、それに応じて室内機も複数からなる。また、ビルの規模が大きい場合には、室外機と室内機とを接続する冷媒配管が１００ｍになる場合がある。室外機と室内機とを接続する配管長が長いと、その分だけ冷媒回路に充填される冷媒量が増加する。【０００３】
このようなビル用マルチエアコンの室内機は、人が居る室内空間（たとえば、オフィス空間や居室、店舗等）に配置されて利用されることが通常である。何らかの原因によって、室内空間に配置された室内機から冷媒が漏れた場合、冷媒の種類によっては引火性、有毒性を有しており、人体への影響及び安全性の観点から問題となる可能性がある。また、人体に有害ではない冷媒であったとしても、冷媒漏れによって、室内空間での酸素濃度が低下し、人体に影響を及ぼすことも想定される。
このような課題に対応するために、空気調和装置に２次ループ方式を採用し、１次側ループを冷媒循環回路として冷媒を循環させ、２次側ループである熱媒体循環回路には有害でない水、ブライン等を熱媒体としてを循環させて、人の居る室内空間を空気調和する方法が提案されている（たとえば、特許文献１参照）。
【先行技術文献】
【特許文献】
【０００４】
【特許文献１】ＷＯ２０１０／０４９９９８号公報（第３頁、図１等）
【発明の概要】
【発明が解決しようとする課題】
【０００５】
例えば、特許文献１のような技術において、２次ループ側を循環する熱媒体は、水や水にブラインを混ぜた溶液を用いている。ここで、特に２次ループの施工過程では、回路内に異物、空気が混入しやすい。このように２次ループに異物、空気を含んだまま空気調和に係る運転を行うと故障等が生じる可能性があるため、除去等する工夫が必要であった。【０００６】
そこで、本発明は、稼働する前の段階で、異物除去、空気除去をする制御を行うことができる空気調和装置を得ることを目的とするものである。
【課題を解決するための手段】
【０００７】
本発明に係る空気調和装置は、熱源側冷媒を圧縮する圧縮機、熱源側冷媒の循環経路を切り替えるための冷媒流路切替装置、熱源側冷媒を熱交換させるための熱源側熱交換器、熱源側冷媒を圧力調整するための絞り装置及び熱源側冷媒と熱源側冷媒とは異なる熱媒体との熱交換を行なう１又は複数の熱媒体間熱交換器を配管接続して構成する冷媒循環回路と、熱媒体間熱交換器の熱交換に係る熱媒体を循環させるための１又は複数のポンプ、熱媒体と空調対象空間に係る空気との熱交換を行なう複数の利用側熱交換器、利用側熱交換器に対する加熱された熱媒体の通過又は冷却された熱媒体の通過を切り替える流路切替装置および複数の利用側熱交換器に対応して設置され、各利用側熱交換器を通過する熱媒体の流量を調整する複数の熱媒体流量調整装置とを配管接続して構成し、内部の空気を放出させる１又は複数の空気抜き弁を有する熱媒体循環回路と、熱媒体循環回路を施工したときに、冷媒循環回路が熱媒体を加熱し、熱媒体循環回路のポンプを駆動して、熱媒体循環回路内の空気を抜く空気抜き運転を、設置時に実行する制御装置とを備え、制御装置は、空気抜き運転において、熱媒体流量調整装置を制御して空気抜きをする流路を選択し、全流路の空気抜きを複数回の流路選択により行なうものである。
【発明の効果】
【０００８】
本発明によれば、熱媒体循環回路を施工したときに、制御装置により空気抜き運転を実行するようにしたので、効率良く空気抜きを行うことができる。
【図面の簡単な説明】
【０００９】
【図１】本発明の実施の形態１に係る空気調和装置の設置例を示す概略図である。
【図２】本発明の実施の形態１に係る空気調和装置の冷媒回路構成例である。
【図３】図２に示す空気調和装置の全冷房運転モード時における冷媒の流れを示す冷媒回路図である。
【図４】図２に示す空気調和装置の全暖房運転モード時における冷媒の流れを示す冷媒回路図である。
【図５】図２に示す空気調和装置の冷房主体運転モード時における冷媒の流れを示す冷媒回路図である。
【図６】図２に示す空気調和装置の暖房主体運転モード時における冷媒の流れを示す冷媒回路図である。
【図７】図２に示す空気調和装置の異物除去運転モード時及び空気抜き運転モードにおける冷媒の流れを示す冷媒回路図である。
【図８】本発明の実施の形態１に係る熱媒体変換機制御装置５２の異物除去運転モードにおける処理を説明する図である。
【図９】本発明の実施の形態１に係る熱媒体変換機制御装置５２の空気抜き運転モードにおける処理を説明する図である。
【図１０】本発明の実施の形態２に係る空気調和装置１００の施工時における熱媒体充填に係る手順を説明する図である。
【図１１】熱媒体注入の一例を説明する図である。
【００１０】
実施の形態１．
図１は、本発明の実施の形態１に係る空気調和装置１００の設置例を示す概略図である。図１に基づいて、空気調和装置１００の設置例について説明する。ここで、添字で区別等している複数の同種の機器等について、特に区別したり、特定したりする必要がない場合には、添字を省略して記載する場合がある。また、温度、圧力等の高低については、特に絶対的な値との関係で高低等が定まっているものではなく、システム、装置等における状態、動作等において相対的に定まるものとする。【００１１】
空気調和装置１００は、冷媒を循環させ、冷凍サイクルを利用して室内空間の冷房又は暖房を行うものであり、各室内機２ａ〜２ｄが運転モードとして冷房モードあるいは暖房モードを自由に選択できるものである。そして、本実施の形態に係る空気調和装置１００は、冷媒としてたとえばＲ−２２、Ｒ−３２、Ｒ−１３４ａ等の単一冷媒、Ｒ−４１０Ａ、Ｒ−４０４Ａ等の擬似共沸混合冷媒、Ｒ−４０７Ｃ等の非共沸混合冷媒、化学式内に二重結合を含む、ＣＦ３  ＣＦ＝ＣＨ２  等の地球温暖化係数が比較的小さい値とされている冷媒やその混合物、あるいはＣＯ２  やプロパン等の自然冷媒を採用する冷媒循環回路Ａ、及び熱媒体として水などを採用する熱媒体循環回路Ｂを有している。【００１２】
本実施の形態に係る空気調和装置１００は、冷媒（熱源側冷媒）を間接的に利用する方式（間接方式）を採用している。すなわち、熱源側冷媒に貯えた冷熱又は温熱を、熱源側冷媒とは異なる水、ブライン等の冷媒（以下、熱媒体と称する）に伝達し、熱媒体に貯えた冷熱又は温熱で空調対象空間を冷房又は暖房する。【００１３】
図１に図示されるように、本実施の形態に係る空気調和装置１００は、熱源機である１台の室外機１と、複数台の室内機２、室外機１と室内機２との間に介在する熱媒体変換機３と、を有している。熱媒体変換機３は、熱源側冷媒と熱媒体とで熱交換を行なうものである。室外機１と熱媒体変換機３とは、熱源側冷媒を循環させるための冷媒配管４で接続されている。熱媒体変換機３と室内機２とは、熱媒体を循環させるための配管（熱媒体配管）５で接続されている。そして、室外機１で生成された冷熱あるいは温熱は、熱媒体変換機３を介して室内機２に配送されるようになっている。【００１４】
室外機１は、通常、ビル等の建物９の外の空間（たとえば、屋上等）である室外空間６に配置され、熱媒体変換機３を介して室内機２に冷熱又は温熱を供給するものである。
室内機２は、建物９の内部の空間（たとえば、居室等）である室内空間７に冷房用空気、或いは暖房用空気を供給できる位置に配置され、空調対象空間となる室内空間７に冷房用空気あるいは暖房用空気を供給するものである。
熱媒体変換機３は、室外機１及び室内機２とは別筐体として、室外空間６及び室内空間７とは別の位置に設置されるものである。この熱媒体変換機３は、室外機１及び室内機２と、冷媒配管４及び配管５を介してそれぞれ接続され、室外機１から供給される冷熱、又は温熱を室内機２に伝達するものである。【００１５】
図１に図示されるように、本実施の形態に係る空気調和装置１００においては、室外機１と熱媒体変換機３とが２本の冷媒配管４を介して接続され、熱媒体変換機３と各室内機２ａ〜２ｄとが２本の配管５を介して接続されている。このように、実施の形態１に係る空気調和装置１００では、冷媒配管４、及び配管５を介して各ユニット（室外機１、室内機２及び熱媒体変換機３）を接続することにより、施工が容易となっている。【００１６】
なお、図１においては、熱媒体変換機３が、建物９の内部ではあるが室内空間７とは別の空間である天井裏等の空間（たとえば、建物９における天井裏などのスペース。以下、単に空間８と称する）に設置されている状態を例として図示している。熱媒体変換機３は、その他、エレベーター等がある共用空間等に設置してもよい。また、図１においては、室内機２が天井カセット型を例に示してあるが、これに限定されるものではない。すなわち、空気調和装置１００は、天井埋込型、天井吊下式、室内空間７に直接又はダクト等により、暖房用空気あるいは冷房用空気を吹き出せるようなものなっていれば、どんな種類のものでもよい。【００１７】
また、熱媒体変換機３は、室外機１の近傍に設置することもできる。ただし、熱媒体変換機３から室内機２までの距離が長すぎると、熱媒体の搬送動力がかなり大きくなるため、省エネルギー効果は薄れることに留意が必要である。【００１８】
図２は、本発明の実施の形態１に係る空気調和装置１００の冷媒回路構成例である。
図２に示すように、室外機１と熱媒体変換機３とが、熱媒体変換機３に備えられている熱媒体間熱交換器１５ａ及び熱媒体間熱交換器１５ｂを介して冷媒配管４で接続されている。また熱媒体変換機３と室内機２とが、配管５で接続されている。【００１９】
［室外機１］
室外機１には、冷媒を圧縮する圧縮機１０、四方弁等で構成される第１冷媒流路切替装置１１、蒸発器又は凝縮器として機能する熱源側熱交換器１２、及び余剰冷媒を貯留するアキュムレーター１９が冷媒配管４に接続されて搭載されている。
また、室外機１には、第１接続配管４ａ、第２接続配管４ｂ、逆止弁１３ａ、逆止弁１３ｂ、逆止弁１３ｃ、及び逆止弁１３ｄが設けられている。第１接続配管４ａ、第２接続配管４ｂ、逆止弁１３ａ、逆止弁１３ｂ、逆止弁１３ｃ、及び逆止弁１３ｄを設けることで、室内機２の要求する運転に関わらず、熱媒体変換機３に流入させる熱源側冷媒の流れを一定方向にすることができる。【００２０】
圧縮機１０は、熱源側冷媒を吸入し、その熱源側冷媒を圧縮して高温・高圧の状態にするものであり、たとえば容量制御可能なインバータ圧縮機等で構成するとよい。
第１冷媒流路切替装置１１は、暖房運転モード時（全暖房運転モード時及び暖房主体運転モード時）における熱源側冷媒の流れと冷房運転モード時（全冷房運転モード時及び冷房主体運転モード時）における熱源側冷媒の流れとを切り替えるものである。
熱源側熱交換器１２は、暖房運転時には蒸発器として機能し、冷房運転時には凝縮器として機能し、図示省略のファン等の送風機から供給される空気と熱源側冷媒との間で熱交換を行なうものである。【００２１】
アキュムレーター１９は、圧縮機１０の吸入側に設けられている。【００２２】
また、圧縮機１０の前後には圧力検知装置である第２圧力センサー３７と第３圧力センサー３８が設けられており、圧縮機１０の回転数と第２圧力センサー３７と第３圧力センサー３８の検知値から圧縮機１０からの冷媒流量を計算できるようになっている。【００２３】
［室内機２］
室内機２には、それぞれ利用側熱交換器２６が搭載されている。この利用側熱交換器２６は、配管５によって熱媒体変換機３の熱媒体流量調整装置２５と第２熱媒体流路切替装置２３に接続されている。この利用側熱交換器２６は、図示省略のファン等の送風機から供給される空気と熱媒体との間で熱交換を行ない、室内空間７に供給するための暖房用空気あるいは冷房用空気を生成するものである。また、例えば施工時において熱媒体循環回路Ｂ内に残存している空気を抜くための空気抜き弁４０を有している。また、施工時に熱媒体を注入する室内機熱媒体注入口４３を有している。そして、本実施の形態の室内機２は吸込空気温度検知装置３９が設けられている。【００２４】
［熱媒体変換機３］
熱媒体変換機３には、冷媒と熱媒体とが熱交換する２つの熱媒体間熱交換器１５ａ、１５ｂ、冷媒を減圧させる２つの絞り装置１６ａ、１６ｂ、冷媒配管４の流路を開閉する２つの開閉装置１７ａ、１７ｂ、冷媒流路を切り替える２つの第２冷媒流路切替装置１８、１８ｂ、熱媒体を循環させる２つのポンプ２１、２１ｂ、配管５の一方に接続される４つの第１熱媒体流路切替装置２２ａ〜２２ｄ、配管５の他方に接続される４つの第２熱媒体流路切替装置２３ａ〜２３ｄ、及び、第２熱媒体流路切替装置２２が接続される方の配管５に接続される４つの熱媒体流量調整装置２５ａ〜２５ｄが設けられている。【００２５】
２つの熱媒体間熱交換器１５ａ、１５ｂ（熱媒体間熱交換器１５とも称する）は、凝縮器（放熱器）又は蒸発器として機能し、熱源側冷媒と熱媒体とで熱交換を行ない、室外機１で生成され熱源側冷媒に貯えられた冷熱又は温熱を熱媒体に伝達するものである。熱媒体間熱交換器１５ａは、冷媒循環回路Ａにおける絞り装置１６ａと第２冷媒流路切替装置１８ａとの間に設けられており、冷房暖房混在運転モード時において熱媒体の冷却に供するものである。熱媒体間熱交換器１５ｂは、冷媒循環回路Ａにおける絞り装置１６ｂと第２冷媒流路切替装置１８ｂとの間に設けられており、冷房暖房混在運転モード時において熱媒体の加熱に供するものである。【００２６】
２つの絞り装置１６ａ、１６ｂ（絞り装置１６と称することもある）は、減圧弁や膨張弁としての機能を有し、熱源側冷媒を減圧して膨張させるものである。絞り装置１６ａは、全冷房運転モード時の熱源側冷媒の流れにおいて熱媒体間熱交換器１５ａの上流側に設けられている。絞り装置１６ｂは、全冷房運転モード時の熱源側冷媒の流れにおいて熱媒体間熱交換器１５ｂの上流側に設けられている。２つの絞り装置１６は、開度が可変に制御可能なもの、たとえば電子式膨張弁等で構成するとよい。【００２７】
開閉装置１７ａ、１７ｂは、二方弁等で構成されており、冷媒配管４を開閉するものである。【００２８】
２つの第２冷媒流路切替装置１８ａ、１８ｂ（第２冷媒流路切替装置１８と称することもある）は、四方弁等で構成され、運転モードに応じて熱源側冷媒の流れを切り替えるものである。第２冷媒流路切替装置１８ａは、全冷房運転モード時の熱源側冷媒の流れにおいて熱媒体間熱交換器１５ａの下流側に設けられている。第２冷媒流路切替装置１８ｂは、全冷房運転モード時の熱源側冷媒の流れにおいて熱媒体間熱交換器１５ｂの下流側に設けられている。【００２９】
２つのポンプ２１ａ、２１ｂ（ポンプ２１と称することもある）は、配管５内の熱媒体を循環させるものである。ポンプ２１ａは、熱媒体間熱交換器１５ａと第２熱媒体流路切替装置２３との間における配管５に設けられている。ポンプ２１ｂは、熱媒体間熱交換器１５ｂと第２熱媒体流路切替装置２３との間における配管５に設けられている。２つのポンプ２１は、たとえば容量制御可能なポンプ等で構成するとよい。なお、ポンプ２１ａを、熱媒体間熱交換器１５ａと第１熱媒体流路切替装置２２との間における配管５に設けてもよい。【００３０】
４つの第１熱媒体流路切替装置２２ａ〜２２ｄ（第１熱媒体流路切替装置２２と称することもある）は、三方弁等で構成されており、熱媒体の流路を切り替えるものである。第１熱媒体流路切替装置２２は、室内機２ａ〜２ｄの設置台数に応じた個数（ここでは４つ）が設けられるようになっている。第１熱媒体流路切替装置２２は、三方のうちの一つが熱媒体間熱交換器１５ａに、三方のうちの一つが熱媒体間熱交換器１５ｂに、三方のうちの一つが熱媒体流量調整装置２５に、それぞれ接続され、利用側熱交換器２６ａの熱媒体流路の出口側に設けられている。なお、室内機２ａ〜２ｄに対応させて、紙面下側から第１熱媒体流路切替装置２２ａ、２２ｂ、２２ｃ、２２ｄとして図示している。また２２ａ、２２ｂ、２２ｃ、２２ｄは熱媒体変換機３に設置されるように図示しているが、更に多くの個数としても良い。【００３１】
４つの第２熱媒体流路切替装置２３ａ〜２３ｄ（第２熱媒体流路切替装置２３と称することもある）は、三方弁等で構成されており、熱媒体の流路を切り替えるものである。第２熱媒体流路切替装置２３は、室内機２の設置台数に応じた個数（ここでは４つ）が設けられるようになっている。第２熱媒体流路切替装置２３は、三方のうちの一つが熱媒体間熱交換器１５ａに、三方のうちの一つが熱媒体間熱交換器１５ｂに、三方のうちの一つが利用側熱交換器（又は熱回収用熱交換機）２６に、それぞれ接続され、利用側熱交換器（又は熱回収用熱交換機）２６の熱媒体流路の入口側に設けられている。なお、室内機２ａ〜２ｄに対応させて、紙面下側から第２熱媒体流路切替装置２３ａ、２３ｂ、２３ｃ、２３ｄとして図示している。また２３ａ、２３ｂ、２３ｃ、２３ｄは熱媒体変換機３に設置されるように図示しているが、更に多くの個数としても良い。【００３２】
４つの熱媒体流量調整装置２５ａ〜２５ｄ（熱媒体流量調整装置２５と称することもある）は、開口面積を制御できる二方弁等で構成されており、配管５に流れる熱媒体の流量を調整するものである。熱媒体流量調整装置２５は、室内機２の設置台数に応じた個数（ここでは４つ）が設けられるようになっている。熱媒体流量調整装置２５は、一方が利用側熱交換器（又は熱回収用熱交換機）２６に、他方が第１熱媒体流路切替装置２２に、それぞれ接続され、利用側熱交換器２６の熱媒体流路の出口側に設けられている。なお、室内機２ａ〜２ｄに対応させて、紙面下側から熱媒体流量調整装置２５ａ、２５ｂ、２５ｃ、２５ｄとして図示している。また２５ａ、２５ｂ、２５ｃ、２５ｄは熱媒体変換機３に設置されるように図示しているが、更に多くの個数としても良い。
また、熱媒体流量調整装置２５を利用側熱交換器２６の熱媒体流路の入口側に設けてもよい。【００３３】
また、熱媒体変換機３は、空気抜き弁４０と同様に、施工時において熱媒体循環回路Ｂ内に残存している空気を抜くための熱媒体変換機空気抜き弁４１を有している。また、熱媒体循環回路Ｂ内において、熱媒体とともに流れる異物を捕捉して循環させないようにするストレーナ４２を有している。ポンプ２１が異物を吸入しないように、本実施の形態ではストレーナ４２をポンプ２１の吸入側となる熱媒体間熱交換器１５の冷媒流入口の配管に設置している。ここで、ストレーナ４２は、異物を捕捉する網目部分が本体から脱着可能になっている。このため、例えばメンテナンス時等において、ストレーナ４２が捕捉した異物を簡単に除去することができる。また、例えば施工時等において熱媒体循環回路Ｂに熱媒体を注入するための熱媒体変換機熱媒体注入口４４を有している。【００３４】
さらに、熱媒体変換機３には、各種検知手段（２つの第１温度センサー３１ａ、３１ｂ、４つの第２温度センサー３４ａ〜３４ｄ、４つの第３温度センサー３５ａ〜３５ｄ、１つの第４温度センサー５０、第１圧力センサー３６）が設けられている。これらの検知手段で検知された情報（たとえば、温度情報や圧力情報）は、空気調和装置１００の動作を統括制御する制御装置に送られ、圧縮機１０の駆動周波数、熱源側熱交換器１２及び利用側熱交換器２６近傍に設けられる図示省略の送風機の回転数、第１冷媒流路切替装置１１の切り替え、ポンプ２１の駆動周波数、第２冷媒流路切替装置１８の切り替え、熱媒体の流路の切替等の制御に利用されることになる。【００３５】
制御装置となる熱媒体変換機制御装置５２、室外機制御装置５７は、例えばマイクロコンピュータ等で構成されており、後述する各運転モードを実行するために、空気調和装置１００を構成する各種機器、手段を統括制御する。熱媒体変換機制御装置５２と室外機制御装置５７とは通信接続されており、連携した制御を行うことができる。ここで、本実施の形態では、熱媒体変換機制御装置５２と室外機制御装置５７とに分け、連携して制御を行うが、例えば１つの制御装置として空気調和装置１００の制御を行うようにしてもよい。【００３６】
熱媒体変換機制御装置５２、室外機制御装置５７は、例えば、蒸発温度、凝縮温度、飽和温度、過熱度、過冷却度の計算等を行う。そして、これらの計算結果に基づいて、絞り装置１６の開度、圧縮機１０の駆動周波数、熱源側熱交換器１２、利用側熱交換器２６に空気を送り込むファン（図示せず）の速度（ＯＮ／ＯＦＦ含む）等を制御する。さらに、制御装置は、各種センサの検出に係る物理量、リモートコントローラからの指示等に基づいて、第１冷媒流路切替装置１１の切り替え、ポンプ２１の駆動、絞り装置１６の開度、開閉装置１７の開閉、第２冷媒流路切替装置１８の切り替え、第１熱媒体流路切替装置２２の切り替え、第２熱媒体流路切替装置２３の切り替え、熱媒体流量調整装置２５の開度等を制御する。【００３７】
特に熱媒体変換機制御装置５２は、異物除去運転、空気抜き運転の履歴に係るデータを記録する処理を行う。履歴に係るデータとは、例えば異物除去運転、空気抜き運転の運転日時、終了時間等のデータである。このため、熱媒体変換機制御装置５２は、タイマ（図示せず）を有し、計時を行うことができる。また、熱媒体変換機３は、履歴に係るデータを記録するための記憶装置５３を有している。そして、記憶装置５３に記録した履歴を表示するための表示装置５４を有し、表示することができる。ここでは表示装置５４による表示を行っているが、例えば履歴に係るデータを通信装置により送信するようにしてもよい。また、記憶装置５３、表示装置５４等を室外機１側に備え、室外機制御装置５７が処理を行うようにしてもよい。【００３８】
さらに、本実施の形態の熱媒体変換機制御装置５２は、例えば制御変更スイッチを有している。本実施の形態では、少なくともスイッチＳＷＡ、ＳＷＢ、ＳＷＣの３種類のスイッチを有している。スイッチＳＷＡをＯＮすると、後述する異物除去運転モードによる運転を行う。また、スイッチＳＷＢをＯＮすると、後述する空気抜き運転モードによる運転を行う。そして、スイッチＳＷＣは、異常の発生等により異物除去運転モード、空気抜き運転モードによる運転を途中で停止する際に操作するスイッチである。ここで、本実施の形態では、熱媒体循環回路Ｂにおける異物除去運転モード、空気抜き運転モードであるため、熱媒体変換機制御装置５２に制御変更スイッチを設けるものとするが、例えば設置場所の関係で室外機１にある方がスイッチ操作しやすい場合には、室外機制御装置５７に設けるようにしてもよい。【００３９】
２つの第１温度センサー３１ａ、３１ｂ（第１温度センサー３１と称することもある）は、熱媒体間熱交換器１５から流出した熱媒体、つまり熱媒体間熱交換器１５の出口における熱媒体の温度を検知するものであり、たとえばサーミスター等で構成するとよい。第１温度センサー３１ａは、ポンプ２１ａの入口側における配管５に設けられている。第１温度センサー３１ｂは、ポンプ２１ｂの入口側における配管５に設けられている。【００４０】
４つの第２温度センサー３４ａ〜３４ｄ（第２温度センサー３４と称することもある）は、第１熱媒体流路切替装置２２と熱媒体流量調整装置２５との間に設けられ、利用側熱交換器（又は熱回収用熱交換機）２６から流出した熱媒体の温度を検知するものであり、サーミスター等で構成するとよい。第２温度センサー３４は、室内機２の設置台数に応じた個数（ここでは４つ）が設けられるようになっている。なお、室内機２に対応させて、紙面下側から第２温度センサー３４ａ、３４ｂ、３４ｃ、３４ｄとして図示している。【００４１】
４つの第３温度センサー３５ａ〜３５ｄ（第３温度センサー３５と称することもある）は、熱媒体間熱交換器１５の熱源側冷媒の入口側又は出口側に設けられ、熱媒体間熱交換器１５に流入する熱源側冷媒の温度又は熱媒体間熱交換器１５から流出した熱源側冷媒の温度を検知するものであり、サーミスター等で構成するとよい。第３温度センサー３５ａは、熱媒体間熱交換器１５ａと第２冷媒流路切替装置１８ａとの間に設けられている。第３温度センサー３５ｂは、熱媒体間熱交換器１５ａと絞り装置１６ａとの間に設けられている。第３温度センサー３５ｃは、熱媒体間熱交換器１５ｂと第２冷媒流路切替装置１８ｂとの間に設けられている。第３温度センサー３５ｄは、熱媒体間熱交換器１５ｂと絞り装置１６ｂとの間に設けられている。【００４２】
第４温度センサー５０は、例えば蒸発温度と露点温度を算出する際に使用する温度情報を得るものであり、絞り装置１６ａと絞り装置１６ｂの間に設けられている。【００４３】
熱媒体を循環させるための配管５は、熱媒体間熱交換器１５ａに接続されるものと、熱媒体間熱交換器１５ｂに接続されるものと、で構成されている。配管５は、熱媒体変換機３に接続される室内機２の台数に応じて分岐（ここでは、各４分岐）されている。そして、配管５は、第１熱媒体流路切替装置２２、及び、第２熱媒体流路切替装置２３で接続されている。第１熱媒体流路切替装置２２及び第２熱媒体流路切替装置２３を制御することで、熱媒体間熱交換器１５ａからの熱媒体を利用側熱交換器２６に流入させるか、熱媒体間熱交換器１５ｂからの熱媒体を利用側熱交換器２６に流入させるか、が決定されるようになっている。【００４４】
［運転モードの説明］
空気調和装置１００は、圧縮機１０、第１冷媒流路切替装置１１、熱源側熱交換器１２、開閉装置１７、第２冷媒流路切替装置１８、熱媒体間熱交換器１５ａの冷媒流路、絞り装置１６、及び、アキュムレーター１９を、冷媒配管４で接続して冷媒循環回路Ａを構成している。また、熱媒体間熱交換器１５ａの熱媒体流路、ポンプ２１、第１熱媒体流路切替装置２２、熱媒体流量調整装置２５、利用側熱交換器（又は熱回収用熱交換器）２６、及び、第２熱媒体流路切替装置２３を、配管５で接続して熱媒体循環回路Ｂを構成している。つまり、熱媒体間熱交換器１５のそれぞれに複数台の利用側熱交換器２６が並列に接続され、熱媒体循環回路Ｂを複数系統としているのである。【００４５】
よって、空気調和装置１００では、室外機１と熱媒体変換機３とが、熱媒体変換機３に設けられている熱媒体間熱交換器１５ａ及び熱媒体間熱交換器１５ｂを介して接続され、熱媒体変換機３と室内機２が、熱媒体間熱交換器１５ａ及び熱媒体間熱交換器１５ｂを介して接続されている。すなわち、空気調和装置１００では、熱媒体間熱交換器１５ａ及び熱媒体間熱交換器１５ｂで冷媒循環回路Ａを循環する熱源側冷媒と熱媒体循環回路Ｂを循環する熱媒体とが熱交換するようになっている。【００４６】
次に空気調和装置１００が実行する各運転モードについて説明する。この空気調和装置１００は、各室内機２からの指示に基づいて、その室内機２で冷房運転あるいは暖房運転が可能になっている。つまり、空気調和装置１００は、室内機２の全部で同一運転をすることができるとともに、室内機２のそれぞれで異なる運転をすることができるようになっている。【００４７】
空気調和装置１００が実行する運転モードには、駆動している室内機２の全てが冷房運転を実行する全冷房運転モード、駆動している室内機２の全てが暖房運転を実行する全暖房運転モード、冷房負荷の方が大きい冷房暖房混在運転モードとしての冷房主体運転モード、及び、暖房負荷の方が大きい冷房暖房混在運転モードとしての暖房主体運転モードがある。また、特殊モードとして、例えば施工時に水側回路から空気を除去するための空気抜き運転モード、異物をストレーナ４２に集める異物除去運転モードがある。ただし、異物除去運転モードと空気抜き運転モードにおける各回路の流れは基本的に同じとなる。以下に、各運転モードについて、熱源側冷媒及び熱媒体の流れとともに説明する。【００４８】
［全冷房運転モード］
図３は、図２に示す空気調和装置１００の全冷房運転モード時（パターン１）における冷媒の流れを示す冷媒回路図である。この図３では、利用側熱交換器２６ａ〜２６ｂの室内機で冷熱負荷が発生している場合を例に全冷房運転モードについて説明する。図３では、熱源側冷媒の流れ方向を実線矢印で、熱媒体の流れ方向を破線矢印で示している。ここで、図３〜図７において、冷媒の流れに関して関係ない機器（例えば、室内機空気抜き弁４０、熱媒体変換機空気抜き弁４１等）については図示を省略している。【００４９】
図３に示す全冷房運転モードの場合、室外機１では、第１冷媒流路切替装置１１を、圧縮機１０から吐出された熱源側冷媒を熱源側熱交換器１２へ流入させるように切り替える。熱媒体変換機３ではポンプ２１ａ、ポンプ２１ｂを駆動させ、熱媒体流量調整装置２５ａ、２５ｂを開放し、熱媒体流量調整装置２５ｃ、２５ｄを閉止し、熱媒体間熱交換器１５ａ及び熱媒体間熱交換器１５ｂのそれぞれと利用側熱交換器２６ａ〜２６ｂとの間を熱媒体が循環するようにしている。【００５０】
まず始めに、冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された残りの高温・高圧のガス冷媒は、第１冷媒流路切替装置１１を介して熱源側熱交換器１２に流入する。そして、熱源側熱交換器１２で室外空気に放熱しながら高圧の液冷媒となる。熱源側熱交換器１２から流出した高圧冷媒は、逆止弁１３ａを通って、室外機１から流出し、冷媒配管４を通って熱媒体変換機３に流入する。熱媒体変換機３に流入した高圧冷媒は、開閉装置１７ａを経由した後に分岐されて絞り装置１６ａ及び絞り装置１６ｂで膨張させられて、低温・低圧の二相冷媒となる。なお、開閉装置１７ｂは閉となっている。【００５１】
この二相冷媒は、蒸発器として作用する熱媒体間熱交換器１５ａ及び熱媒体間熱交換器１５ｂのそれぞれに流入し、熱媒体循環回路Ｂを循環する熱媒体から吸熱することで、熱媒体を冷却しながら、低温・低圧のガス冷媒となる。熱媒体間熱交換器１５ａ及び熱媒体間熱交換器１５ｂから流出したガス冷媒は、第２冷媒流路切替装置１８ａ、第２冷媒流路切替装置１８ｂを介し、熱媒体変換機３から流出し、冷媒配管４を通って再び室外機１へ流入する。室外機１に流入した冷媒は、逆止弁１３ｄを通って、第１冷媒流路切替装置１１及びアキュムレーター１９を介して、圧縮機１０へ再度吸入される。【００５２】
このとき、第２冷媒流路切替装置１８ａ及び第２冷媒流路切替装置１８ｂは低圧配管と連通されている。また、絞り装置１６ａは、第３温度センサー３５ａで検知された温度と第３温度センサー３５ｂで検知された温度との差として得られるスーパーヒート（過熱度）が一定になるように開度が制御される。同様に、絞り装置１６ｂは、第３温度センサー３５ｃで検知された温度と第３温度センサー３５ｄで検知された温度との差として得られるスーパーヒートが一定になるように開度が制御される。【００５３】
次に、熱媒体循環回路Ｂにおける熱媒体の流れについて説明する。
全冷房運転モードでは、熱媒体間熱交換器１５ａ及び熱媒体間熱交換器１５ｂの双方で熱源側冷媒の冷熱が熱媒体に伝えられ、冷やされた熱媒体がポンプ２１ａ及びポンプ２１ｂによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。そして、熱媒体が利用側熱交換器２６ａ及び利用側熱交換器２６ｂで室内空気から吸熱することで、室内空間７の冷房を行なう。【００５４】
それから、熱媒体は、利用側熱交換器２６ａ及び利用側熱交換器２６ｂから流出して熱媒体流量調整装置２５ａ及び熱媒体流量調整装置２５ｂに流入する。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。熱媒体流量調整装置２５ａ及び熱媒体流量調整装置２５ｂから流出した熱媒体は、第１熱媒体流路切替装置２２ａ及び第１熱媒体流路切替装置２２ｂを通って、熱媒体間熱交換器１５ａ及び熱媒体間熱交換器１５ｂへ流入し、再びポンプ２１ａ及びポンプ２１ｂへ吸い込まれる。【００５５】
なお、利用側熱交換器２６ａ、２６ｂの配管５内では、第２熱媒体流路切替装置２３から熱媒体流量調整装置２５を経由して第１熱媒体流路切替装置２２へ至る向きに熱媒体が流れている。また、室内空間７にて必要とされる空調負荷は、第１温度センサー３１ａで検知された温度、あるいは、第１温度センサー３１ｂで検知された温度と第２温度センサー３４ａ又は３４ｂで検知された温度との差を目標値として保つように制御することにより、賄うことができる。熱媒体間熱交換器１５の出口温度は、第１温度センサー３１ａ又は第１温度センサー３１ｂのどちらの温度を使用してもよいし、これらの平均温度を使用してもよい。このとき、第１熱媒体流路切替装置２２及び第２熱媒体流路切替装置２３は、熱媒体間熱交換器１５ａ及び熱媒体間熱交換器１５ｂの双方へ流れる流路が確保されるように、中間的な開度にしている。【００５６】
全冷房運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図３においては、利用側熱交換器２６ａ、２６ｂにおいては熱負荷があるため熱媒体を流しているが、利用側熱交換器２６ｃ、２６ｄにおいては作動させないため、対応する熱媒体流量調整装置２５ｃ及び熱媒体流量調整装置２５ｄを全閉としている。そして、利用側熱交換器に熱負荷の発生があった場合や熱回収機を動作させる場合には、熱媒体流量調整装置２５を開放し、熱媒体を循環させればよい。【００５７】
第４温度センサー５０における冷媒は液冷媒であり、この温度情報をもとに熱媒体変換機制御装置５２によって、液入口エンタルピーを算出する。また第３温度センサー３５ｄから低圧二相温状態の温度を検知し、この温度情報をもとに熱媒体変換機制御装置５２によって飽和液エンタルピー及び飽和ガスエンタルピーを算出する。【００５８】
［全暖房運転モード］
図４は、図２に示す空気調和装置１００の全暖房運転モード時における冷媒の流れを示す冷媒回路図である。この図４では、利用側熱交換器２６ａ、２６ｂで温熱負荷が発生している場合を例に全暖房運転モードについて説明する。図４では、熱源側冷媒の流れ方向を実線矢印で、熱媒体の流れ方向を破線矢印で示している。【００５９】
図４に示す全暖房運転モードの場合、室外機１では、第１冷媒流路切替装置１１を、圧縮機１０から吐出された熱源側冷媒を、熱源側熱交換器１２を経由させずに熱媒体変換機３へ流入させるように切り替える。熱媒体変換機３では、ポンプ２１ａ及びポンプ２１ｂを駆動させ、熱媒体流量調整装置２５ａ、２５ｂを開放し、熱媒体流量調整装置２５ｃ、２５ｄを閉止し、熱媒体間熱交換器１５ａ及び熱媒体間熱交換器１５ｂのそれぞれと利用側熱交換器２６ａ、２６ｂとの間を熱媒体が循環するようにしている。【００６０】
まず始めに、冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された残りの高温・高圧のガス冷媒は、第１冷媒流路切替装置１１、逆止弁１３ｂを通り、室外機１から流出する。室外機１から流出した高温・高圧のガス冷媒は、冷媒配管４を通って熱媒体変換機３に流入する。熱媒体変換機３に流入した高温・高圧のガス冷媒は、分岐されて第２冷媒流路切替装置１８ａ及び第２冷媒流路切替装置１８ｂを通って、熱媒体間熱交換器１５ａ及び熱媒体間熱交換器１５ｂのそれぞれに流入する。【００６１】
熱媒体間熱交換器１５ａ及び熱媒体間熱交換器１５ｂに流入した高温・高圧のガス冷媒は、熱媒体循環回路Ｂを循環する熱媒体に放熱しながら高圧の液冷媒となる。熱媒体間熱交換器１５ａ及び熱媒体間熱交換器１５ｂから流出した液冷媒は、絞り装置１６ａ及び絞り装置１６ｂで膨張させられて、低温・低圧の二相冷媒となる。この二相冷媒は、開閉装置１７ｂを通って、熱媒体変換機３から流出し、冷媒配管４を通って再び室外機１へ流入する。なお、開閉装置１７ａは閉となっている。【００６２】
室外機１に流入した冷媒は、逆止弁１３ｃを通って、蒸発器として作用する熱源側熱交換器１２に流入する。そして、熱源側熱交換器１２に流入した冷媒は、熱源側熱交換器１２で室外空気から吸熱して、低温・低圧のガス冷媒となる。熱源側熱交換器１２から流出した低温・低圧のガス冷媒は、第１冷媒流路切替装置１１及びアキュムレーター１９を介して圧縮機１０へ再度吸入される。【００６３】
このとき、第２冷媒流路切替装置１８ａ及び第２冷媒流路切替装置１８ｂは高圧配管と連通されている。また、絞り装置１６ａは、第１圧力センサー３６で検知された圧力を飽和温度に換算した値と第３温度センサー３５ｂで検知された温度との差として得られるサブクール（過冷却度）が一定になるように開度が制御される。同様に、絞り装置１６ｂは、第１圧力センサー３６で検知された圧力を飽和温度に換算した値と第３温度センサー３５ｄで検知された温度との差として得られるサブクールが一定になるように開度が制御される。なお、熱媒体間熱交換器１５の中間位置の温度が測定できる場合は、その中間位置での温度を第１圧力センサー３６の代わりに用いてもよく、安価にシステムを構成できる。【００６４】
次に、熱媒体循環回路Ｂにおける熱媒体の流れについて説明する。
全暖房運転モードでは、熱媒体間熱交換器１５ａ及び熱媒体間熱交換器１５ｂの双方で熱源側冷媒の温熱が熱媒体に伝えられ、暖められた熱媒体がポンプ２１ａ及びポンプ２１ｂによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ及び利用側熱交換器２６ｂに流入する。そして、熱媒体が利用側熱交換器２６ａ及び利用側熱交換器２６ｂで室内空気に放熱することで、室内空間７の暖房を行なう。【００６５】
それから、熱媒体は、利用側熱交換器２６ａ及び利用側熱交換器２６ｂから流出して熱媒体流量調整装置２５ａ及び熱媒体流量調整装置２５ｂ、熱媒体流量調整装置２５ｃに流入する。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ及び利用側熱交換器２６ｂに流入するようになっている。熱媒体流量調整装置２５ａ及び熱媒体流量調整装置２５ｂから流出した熱媒体は、第１熱媒体流路切替装置２２ａ及び第１熱媒体流路切替装置２２ｂを通って、熱媒体間熱交換器１５ａ及び熱媒体間熱交換器１５ｂへ流入し、再びポンプ２１ａ及びポンプ２１ｂへ吸い込まれる。【００６６】
なお、利用側熱交換器２６の配管５内では、第２熱媒体流路切替装置２３から熱媒体流量調整装置２５を経由して第１熱媒体流路切替装置２２へ至る向きに熱媒体が流れている。また、室内空間７にて必要とされる空調負荷は、第１温度センサー３１ａで検知された温度、あるいは、第１温度センサー３１ｂで検知された温度と第２温度センサー３４ａ、３４ｂで検知された温度との差を目標値として保つように制御することにより、賄うことができる。熱媒体間熱交換器１５の出口温度は、第１温度センサー３１ａ又は第１温度センサー３１ｂのどちらの温度を使用してもよいし、これらの平均温度を使用してもよい。【００６７】
このとき、第１熱媒体流路切替装置２２及び第２熱媒体流路切替装置２３は、熱媒体間熱交換器１５ａ及び熱媒体間熱交換器１５ｂの双方へ流れる流路が確保されるように、中間的な開度にしている。また、本来、利用側熱交換器２６は、その入口と出口の温度差で制御すべきであるが、利用側熱交換器２６の入口側の熱媒体温度は、第１温度センサー３１ｂで検知された温度とほとんど同じ温度であり、第１温度センサー３１ｂを使用することにより温度センサーの数を減らすことができ、安価にシステムを構成できる。【００６８】
全暖房運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図４においては、利用側熱交換器２６ａ、２６ｂにおいては熱負荷があるため熱媒体を流しているが、利用側熱交換器２６ｃ、２６ｄにおいては作動させないため、対応する熱媒体流量調整装置２５ｃ及び熱媒体流量調整装置２５ｄを全閉としている。そして、利用側熱交換器に熱負荷の発生があった場合や熱回収機を動作させる場合には、熱媒体流量調整装置２５を開放し、熱媒体を循環させればよい。【００６９】
［冷房主体運転モード］
図５は、図２に示す空気調和装置１００の冷房主体運転モード時における冷媒の流れを示す冷媒回路図である。この図５では、利用側熱交換器２６ｄで温熱負荷が発生し、利用側熱交換器２６ａ〜２６ｃで冷熱負荷が発生している場合を例に冷房主体運転モードについて説明する。図５では、熱源側冷媒の流れ方向を実線矢印で、熱媒体の流れ方向を破線矢印で示している。【００７０】
図５に示す冷房主体運転モードの場合、室外機１では、第１冷媒流路切替装置１１を、圧縮機１０から吐出された熱源側冷媒を熱源側熱交換器１２へ流入させるように切り替える。熱媒体変換機３では、ポンプ２１ａ及びポンプ２１ｂを駆動させ、熱媒体流量調整装置２５ａ〜２５ｄを開放し、熱媒体間熱交換器１５ａと利用側熱交換器２６ａ〜２６ｃとの間を、熱媒体間熱交換器１５ｂと利用側熱交換器２６ｄとの間を、それぞれ熱媒体が循環するようにしている。【００７１】
まず始めに、冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された残りの高温・高圧のガス冷媒は、第１冷媒流路切替装置１１を介して熱源側熱交換器１２に流入する。そして、熱源側熱交換器１２で室外空気に放熱しながら液冷媒となる。熱源側熱交換器１２から流出した冷媒は、室外機１から流出し、逆止弁１３ａ、冷媒配管４を通って熱媒体変換機３に流入する。熱媒体変換機３に流入した冷媒は、第２冷媒流路切替装置１８ｂを通って凝縮器として作用する熱媒体間熱交換器１５ｂに流入する。【００７２】
熱媒体間熱交換器１５ｂに流入した冷媒は、熱媒体循環回路Ｂを循環する熱媒体に放熱しながら、さらに温度が低下した冷媒となる。熱媒体間熱交換器１５ｂから流出した冷媒は、絞り装置１６ｂで膨張させられて低圧二相冷媒となる。この低圧二相冷媒は、絞り装置１６ａを介して蒸発器として作用する熱媒体間熱交換器１５ａに流入する。熱媒体間熱交換器１５ａに流入した低圧二相冷媒は、熱媒体循環回路Ｂを循環する熱媒体から吸熱することで、熱媒体を冷却しながら、低圧のガス冷媒となる。このガス冷媒は、熱媒体間熱交換器１５ａから流出し、第２冷媒流路切替装置１８ａを介して熱媒体変換機３から流出し、冷媒配管４を通って再び室外機１へ流入する。室外機１に流入した冷媒は、逆止弁１３ｄ、第１冷媒流路切替装置１１及びアキュムレーター１９を介して、圧縮機１０へ再度吸入される。【００７３】
このとき、第２冷媒流路切替装置１８ａは低圧配管と連通されており、一方、第２冷媒流路切替装置１８ｂは高圧側配管と連通されている。また、絞り装置１６ｂは、第３温度センサー３５ａで検知された温度と第３温度センサー３５ｂで検知された温度との差として得られるスーパーヒートが一定になるように開度が制御される。また、絞り装置１６ａは全開、開閉装置１７ａ、１７ｂは閉となっている。なお、絞り装置１６ｂは、第１圧力センサー３６で検知された圧力を飽和温度に換算した値と第３温度センサー３５ｄで検知された温度との差として得られるサブクールが一定になるように開度を制御してもよい。また、絞り装置１６ｂを全開とし、絞り装置１６ａでスーパーヒート又はサブクールを制御するようにしてもよい。【００７４】
次に、熱媒体循環回路Ｂにおける熱媒体の流れについて説明する。
冷房主体運転モードでは、熱媒体間熱交換器１５ｂで熱源側冷媒の温熱が熱媒体に伝えられ、暖められた熱媒体がポンプ２１ｂによって配管５内を流動させられることになる。また、冷房主体運転モードでは、熱媒体間熱交換器１５ａで熱源側冷媒の冷熱が熱媒体に伝えられ、冷やされた熱媒体がポンプ２１ａによって配管５内を流動させられることになる。【００７５】
利用側熱交換器２６ｄでは熱媒体が室内空気に放熱することで、室内空間７の暖房を行なう。また、利用側熱交換器２６ａ〜２６ｃでは熱媒体が室内空気から吸熱することで、室内空間７の冷房を行なう。このとき、熱媒体流量調整装置２５ａ〜２５ｄの作用によって熱媒体の流量が室内にて必要とされる空調負荷を賄うのに必要な流量に制御されて利用側熱交換器２６ａ〜２６ｄに流入するようになっている。利用側熱交換器２６ｄを通過し若干温度が低下した熱媒体は、熱媒体流量調整装置２５ｄ及び第１熱媒体流路切替装置２２ｄを通って、熱媒体間熱交換器１５ｂへ流入し、再びポンプ２１ｂへ吸い込まれる。利用側熱交換器２６ａ〜２６ｃを通過し若干温度が上昇した熱媒体は、熱媒体流量調整装置２５ａ〜２５ｃ及び第１熱媒体流路切替装置２２ａ〜２２ｃを通って、熱媒体間熱交換器１５ａへ流入し、再びポンプ２１ａへ吸い込まれる。【００７６】
この間、暖かい熱媒体と冷たい熱媒体とは、第１熱媒体流路切替装置２２及び第２熱媒体流路切替装置２３の作用により、混合することなく、それぞれ温熱負荷、冷熱負荷がある利用側熱交換器２６ａ〜２６ｄへ導入される。なお、利用側熱交換器２６ａ〜２６ｄの配管５内では、暖房側、冷房側ともに、第２熱媒体流路切替装置２３から熱媒体流量調整装置２５を経由して第１熱媒体流路切替装置２２へ至る向きに熱媒体が流れている。また、室内空間７にて必要とされる空調負荷は、暖房側においては第１温度センサー３１ｂで検知された温度と第２温度センサー３４で検知された温度との差を、冷房側においては第２温度センサー３４で検知された温度と第１温度センサー３１ａで検知された温度との差を目標値として保つように制御することにより、賄うことができる。【００７７】
冷房主体運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図５においては、熱負荷のない利用側熱交換器２６はないため、熱媒体流量調整装置２５はすべて開いている。【００７８】
［暖房主体運転モード］
図６は、図２に示す空気調和装置１００の暖房主体運転モード時における冷媒の流れを示す冷媒回路図である。この図６では、利用側熱交換器２６ｂ〜ｄで温熱負荷が発生し、利用側熱交換器２６ａで冷熱負荷が発生している場合を例に暖房主体運転モードについて説明する。図６では、熱源側冷媒の流れ方向を実線矢印で、熱媒体の流れ方向を破線矢印で示している。【００７９】
図６に示す暖房主体運転モードの場合、室外機１では、第１冷媒流路切替装置１１を、圧縮機１０から吐出された熱源側冷媒を熱源側熱交換器１２を経由させずに熱媒体変換機３へ流入させるように切り替える。熱媒体変換機３では、ポンプ２１ａ及びポンプ２１ｂを駆動させ、熱媒体流量調整装置２５ａ〜２５ｄを開放し、熱媒体間熱交換器１５ａと利用側熱交換器２６ａとの間を、熱媒体間熱交換器１５ｂと利用側熱交換器２６ｂ〜２６ｄとの間を、それぞれ熱媒体が循環するようにしている。【００８０】
まず始めに、冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された残りの高温・高圧のガス冷媒は、第１冷媒流路切替装置１１、逆止弁１３ｂを通り、室外機１から流出する。室外機１から流出した高温・高圧のガス冷媒は、冷媒配管４を通って熱媒体変換機３に流入する。熱媒体変換機３に流入した高温・高圧のガス冷媒は、第２冷媒流路切替装置１８ｂを通って凝縮器として作用する熱媒体間熱交換器１５ｂに流入する。【００８１】
熱媒体間熱交換器１５ｂに流入したガス冷媒は、熱媒体循環回路Ｂを循環する熱媒体に放熱しながら液冷媒となる。熱媒体間熱交換器１５ｂから流出した冷媒は、絞り装置１６ｂで膨張させられて低圧二相冷媒となる。この低圧二相冷媒は、絞り装置１６ａを介して蒸発器として作用する熱媒体間熱交換器１５ａに流入する。熱媒体間熱交換器１５ａに流入した低圧二相冷媒は、熱媒体循環回路Ｂを循環する熱媒体から吸熱することで蒸発し、熱媒体を冷却する。この低圧二相冷媒は、熱媒体間熱交換器１５ａから流出し、第２冷媒流路切替装置１８ａを介し、熱媒体変換機３から流出し、再び室外機１へ流入する。【００８２】
室外機１に流入した冷媒は、逆止弁１３ｃを通って、蒸発器として作用する熱源側熱交換器１２に流入する。そして、熱源側熱交換器１２に流入した冷媒は、熱源側熱交換器１２で室外空気から吸熱して、低温・低圧のガス冷媒となる。熱源側熱交換器１２から流出した低温・低圧のガス冷媒は、第１冷媒流路切替装置１１及びアキュムレーター１９を介して圧縮機１０へ再度吸入される。【００８３】
このとき、第２冷媒流路切替装置１８ａは低圧側配管と連通されており、一方、第２冷媒流路切替装置１８ｂは高圧側配管と連通されている。また、絞り装置１６ｂは、第１圧力センサー３６で検知された圧力を飽和温度に換算した値と第３温度センサー３５ｂで検知された温度との差として得られるサブクールが一定になるように開度が制御される。また、絞り装置１６ａは全開、開閉装置１７ａ、１７ｂは閉となっている。なお、絞り装置１６ｂを全開とし、絞り装置１６ａでサブクールを制御するようにしてもよい。【００８４】
次に、熱媒体循環回路Ｂにおける熱媒体の流れについて説明する。
暖房主体運転モードでは、熱媒体間熱交換器１５ｂで熱源側冷媒の温熱が熱媒体に伝えられ、暖められた熱媒体がポンプ２１ｂによって配管５内を流動させられることになる。また、暖房主体運転モードでは、熱媒体間熱交換器１５ａで熱源側冷媒の冷熱が熱媒体に伝えられ、冷やされた熱媒体がポンプ２１ａによって配管５内を流動させられることになる。ポンプ２１ａ及びポンプ２１ｂで加圧されて流出した熱媒体は、第２熱媒体流路切替装置２３ａ及び第２熱媒体流路切替装置２３ｂを介して、利用側熱交換器２６ａ〜２６ｄに流入する。【００８５】
利用側熱交換器２６ａでは熱媒体が室内空気から吸熱することで、室内空間７の冷房を行なう。また、利用側熱交換器２６ｂ〜２６ｄでは熱媒体が室内空気に放熱することで、室内空間７の暖房を行なう。このとき、熱媒体流量調整装置２５ａ及び熱媒体流量調整装置２５ｂの作用によって熱媒体の流量が室内にて必要とされる空調負荷を賄うのに必要な流量に制御されて利用側熱交換器２６ａ〜２６ｄに流入するようになっている。利用側熱交換器２６ａを通過し若干温度が上昇した熱媒体は、熱媒体流量調整装置２５ａ及び第１熱媒体流路切替装置２２ａを通って、熱媒体間熱交換器１５ａに流入し、再びポンプ２１ａへ吸い込まれる。利用側熱交換器２６ｂ〜２６ｄを通過し若干温度が低下した熱媒体は、熱媒体流量調整装置２５ｂ〜２５ｄ及び第１熱媒体流路切替装置２２ｂ〜２２ｄを通って、熱媒体間熱交換器１５ｂへ流入し、再びポンプ２１ｂへ吸い込まれる。【００８６】
この間、暖かい熱媒体と冷たい熱媒体とは、第１熱媒体流路切替装置２２及び第２熱媒体流路切替装置２３の作用により、混合することなく、それぞれ温熱負荷、冷熱負荷がある利用側熱交換器２６ａ又は２６ｂ〜２６ｄへ導入される。なお、利用側熱交換器２６ａ及び２６ｂ〜２６ｄの配管５内では、暖房側、冷房側ともに、第２熱媒体流路切替装置２３から熱媒体流量調整装置２５を経由して第１熱媒体流路切替装置２２へ至る向きに熱媒体が流れている。また、室内空間７にて必要とされる空調負荷は、暖房側においては第１温度センサー３１ｂで検知された温度と第２温度センサー３４で検知された温度との差を、冷房側においては第２温度センサー３４で検知された温度と第１温度センサー３１ａで検知された温度との差を目標値として保つように制御することにより、賄うことができる。【００８７】
暖房主体運転モードを実行する際、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図６においては、利用側熱交換器２６ａ〜２６ｄすべてにおいては熱負荷があるため熱媒体を流しているが、熱負荷がない利用側熱交換器が存在する場合、対応する熱媒体流量調整装置２５を全閉とする。【００８８】
［異物除去運転モード、空気抜き運転モード］
図７は本発明の実施の形態１に係る異物除去運転モード、空気抜き運転モードにおける熱媒体の流れを示す図である。異物除去運転モードと空気抜き運転モードとは、例えば空気調和装置１００の施工（設置）時（前述した実際の冷暖房運転による運用前）において、熱媒体循環回路Ｂに熱媒体を充填して行う運転のモードである。
【００８９】
ここで、異物除去運転モード、空気抜き運転モードでは、冷媒循環回路Ａの運転は任意である。このため、ここでは冷媒循環回路Ａについては運転は行わず、熱媒体循環回路Ｂのみ運転させるものとして説明する。したがって、図７に基づいて熱媒体循環回路Ｂにおける熱媒体の流れについて説明する。ここで、異物除去運転モードと空気抜き運転モードとにおける熱媒体循環回路Ｂ内での熱媒体の流れは同じであるため、両モードの流れを共通で説明する。【００９０】
異物除去運転モード及び空気抜き運転モードでは、熱媒体はポンプ２１の加圧によって配管５内を流動させられることになる。ポンプ２１ａ及びポンプ２１ｂに吸い込まれ、加圧されて流出した熱媒体は、第２熱媒体流路切替装置２３ａ〜第２熱媒体流路切替装置２３ｄを通過して利用側熱交換器２６ａ〜２６ｄに流入する。ここで、例えば、室内機２ａ〜２ｄが有する送風機（図示せず）を停止状態とし、利用側熱交換器２６ａ〜２６ｄにおいて熱媒体と室内空気との熱交換を積極的には行わないようにしてもよい。【００９１】
利用側熱交換器２６ａ〜２６ｄを通過した熱媒体は、熱媒体流量調整装置２５ａ〜２５ｄを通過する。このとき、熱媒体流量調整装置２５ａ〜２５ｄの開度を最大（全開）にしておき、熱媒体の流れを阻害しないようにする。熱媒体流量調整装置２５ａ〜２５ｄから流出した熱媒体は、第１熱媒体流路切替装置２２ａ〜２２ｄを通過する。そして、熱媒体間熱交換器１５ａ及び熱媒体間熱交換器１５ｂを通過し、再びポンプ２１ａ及びポンプ２１ｂへ吸い込まれる。【００９２】
ここで、図７では、熱媒体流量調整装置２５ａ〜２５ｄの開度を最大にすることで、全室内機２に熱媒体を通過するようにしたが、特に限定するものではない。例えば、後述するように、空気抜き運転モードにおいては、一部の室内機２に対して熱媒体を通過させるようにしてもよい。また、ここでは、冷媒循環回路Ａの運転を行っていないが、例えば空気抜き運転モードにおいて、全暖房運転モードと同じように冷媒循環回路Ａの運転を行うようにしてもよい。熱媒体の温度を高くすることで、熱媒体中に含まれる空気の析出を促すことができ、さらに効率よく熱媒体循環回路Ｂ内の空気抜きを行うことができる。【００９３】
図８は本発明の実施の形態１に係る熱媒体変換機制御装置５２の異物除去運転モードにおける処理を説明する図である。図８に基づいて熱媒体変換機制御装置５２が異物除去運転モードにおいて行う処理の内容について説明する。【００９４】
熱媒体変換機制御装置５２は、施工者等が異物除去運転モード用のスイッチＳＷＡをＯＮにしたものと判断すると、異物除去運転モードを開始し（ステップＳ１）、以下の処理を自動制御により行う。異物除去運転モードは、さらに第１モードと第２モードとを有している。そこで、第１モードを開始する（ステップＳ２）。そして、熱媒体流量調整装置２５の開度を最大にさせる（ステップＳ３）。【００９５】
ポンプ２１ａ、２１ｂを最大出力（１００％）で第１所定時間（例えば１０秒）駆動させる（ステップＳ４）。また、ポンプ２１ａ、２１ｂを第２所定時間（例えば１０秒）停止させ（ステップＳ５）、間欠して駆動させるようにする。第１モードにおいてポンプ２１を間欠駆動するのは、熱媒体に空気が含まれている場合のエア噛み等を防ぐためである。そして、熱媒体変換機制御装置５２が有する運転停止用のスイッチＳＷＣに変化（オンからオフ又はオフからオン）があるかどうかを判断する（ステップＳ６）。変化があると判断するとすべてのユニットを停止する（ステップＳ１４）。また、変化がないと判断すると、第１モードを開始してから第３所定時間（例えば２０分）経過したかを判断する（ステップＳ７）。第３所定時間を経過していないと判断すると、ステップＳ４〜ステップＳ６の処理を繰り返し行う。一方、第３所定時間経過したものと判断すると第１モードを終了する（ステップＳ８）。【００９６】
第１モードを終了すると第２モードを開始する（ステップＳ９）。第２モードでは、ポンプ２１ａ、２１ｂを最大出力で駆動させる（ステップＳ１０）。また、熱媒体変換機制御装置５２が有する運転停止用のスイッチＳＷＣに変化があるかどうかを判断する（ステップＳ１１）。変化があると判断するとすべてのユニットを停止する（ステップＳ１４）。また、変化がないと判断すると、第２モードを開始してから第４所定時間（例えば２０分）経過したかを判断する（ステップＳ１２）。第４所定時間を経過していないと判断すると、ステップＳ１１の処理を繰り返し行い、運転停止用のスイッチＳＷＣに変化がなければ連続してポンプ２１を駆動させる。第４所定時間経過したものと判断すると第２モードを終了する（ステップＳ１３）。そして、すべてのユニットを停止する（ステップＳ１４）。【００９７】
そして、熱媒体変換機制御装置５２は、異物除去運転の履歴として、日時及び終了時間のデータを記憶装置５３に記録して（ステップ１５）、異物除去運転モードによる運転を完了する（ステップ１６）。【００９８】
図９は本発明の実施の形態１に係る熱媒体変換機制御装置５２の空気抜き運転モードにおける処理を説明する図である。図９に基づいて熱媒体変換機制御装置５２が空気抜き運転モードにおいて行う処理の内容について説明する。【００９９】
熱媒体変換機制御装置５２は、施工者等が空気抜き運転モード用のスイッチＳＷＢをＯＮにしたものと判断すると空気抜き運転モードを開始し（ステップＳ２１）、以下の処理を自動制御により行う。空気抜き運転モードは、さらに第１モード〜第４モードを有している。そこで、まず、第１モードを開始する（ステップＳ２２）。そして、熱媒体流量調整装置２５の開度を最大にさせる（ステップＳ２３）。【０１００】
ポンプ２１ａ、２１ｂを最大出力で第５所定時間（例えば１０秒）駆動させる（ステップＳ２４）。また、ポンプ２１ａ、２１ｂを第６所定時間（例えば１０秒）停止させ（ステップＳ２５）、間欠的に駆動させるようにする。そして、熱媒体変換機制御装置５２が有する運転停止用のスイッチＳＷＣに変化があるかどうかを判断する（ステップＳ２６）。変化があると判断するとすべてのユニットを停止する（ステップＳ４８）。また、変化がないと判断すると、第１モードを開始してから第７所定時間（例えば２０分）経過したかどうかを判断する（ステップＳ２７）。第７所定時間を経過していないと判断すると、ステップＳ２４〜ステップＳ２６の処理を繰り返し行う。一方、第７所定時間経過したものと判断すると第１モードを終了する（ステップＳ２８）。【０１０１】
第１モードを終了すると第２モードを開始する（ステップＳ２９）。第２モードでは、ポンプ２１ａ、２１ｂを最大出力で駆動させる（ステップＳ３０）。また、熱媒体変換機制御装置５２が有する運転停止用のスイッチＳＷＣに変化があるかどうかを判断する（ステップＳ３１）。変化があると判断するとすべてのユニットを停止する（ステップＳ４８）。また、変化がないと判断すると、第２モードを開始してから第８所定時間（例えば２０分）経過したかどうかを判断する（ステップＳ３２）。第８所定時間を経過していないと判断すると、ステップＳ３１の処理を繰り返し行い、運転停止用のスイッチＳＷＣに変化がなければ連続してポンプ２１を駆動させる。第８所定時間経過したものと判断すると第２モードを終了する（ステップＳ３３）。【０１０２】
第２モードを終了すると第３モードを開始する（ステップＳ３４）。第３モードでは、ポンプ２１ａ、２１ｂを最大出力より低い出力（例えば５０％）で駆動させる（ステップＳ３５）。そして、熱媒体流量調整装置２５ａ、２５ｂの開度を最大にし、熱媒体流量調整装置２５ｃ、２５ｄを閉じて室内機２ｃ、２ｄ側に熱媒体が流れないようにする（ステップＳ３６）。このため、熱媒体循環回路Ｂにおける経路長が短くなり、出力に対する熱媒体の流速を高くすることができる。また、熱媒体変換機制御装置５２が有する運転停止用のスイッチＳＷＣに変化があるかどうかを判断する（ステップＳ３７）。変化があると判断するとすべてのユニットを停止する（ステップＳ４８）。また、変化がないと判断すると、第３モードを開始してから第９所定時間（例えば１０分）経過したかを判断する（ステップＳ３８）。第９所定時間を経過していないと判断すると、ステップＳ３７の処理を繰り返し行い、運転停止用のスイッチＳＷＣに変化がなければ連続してポンプ２１を駆動させる。【０１０３】
第９所定時間経過したものと判断すると、次に熱媒体流量調整装置２５ｃ、２５ｄの開度を最大にし、熱媒体流量調整装置２５ａ、２５ｂを閉じて室内機２ａ、２ｂ側に熱媒体が流れないようにする（ステップＳ３９）。また、熱媒体変換機制御装置５２が有する運転停止用のスイッチＳＷＣに変化があるかどうかを判断する（ステップＳ４０）。変化があると判断するとすべてのユニットを停止する（ステップＳ４８）。また、変化がないと判断すると、第３モードを開始してから第１０所定時間（例えば２０分。熱媒体流量調整装置２５を変更してから１０分）経過したかを判断する（ステップＳ４１）。第１０所定時間を経過していないと判断すると、ステップＳ４０の処理を繰り返し行い、運転停止用のスイッチＳＷＣに変化がなければ連続してポンプ２１を駆動させる。第９所定時間経過したものと判断すると第３モードを終了する（ステップＳ４２）。ここで、本実施の形態では４台の室内機２を有しており、配管５は４分岐しているため、２分岐ずつ２回の処理を行った。例えば、さらに室内機２の数（分岐数）が多い場合には、上述した処理をすべての室内機２（分岐）に対して行うようにする。上述の処理を一度に実行する室内機２の数（分岐数）については、特に限定するものではないが、経路長を考慮した上で、２分岐以内で実行する設定することが望ましい。【０１０４】
第３モードを終了すると第４モードを開始する（ステップＳ４３）。第４モードでは、すべての熱媒体流量調整装置２５の開度を最大にさせて、全室内機２において暖房を行う（ステップＳ４４）。このため、冷媒循環回路Ａについても全暖房運転モードでの運転を行う。ここで、室内機２の送風機（図示せず）を駆動させるかどうかについては、特に限定しない。また、熱媒体変換機制御装置５２が有する運転停止用のスイッチＳＷＣに変化があるかどうかを判断する（ステップＳ４５）。変化があると判断するとすべてのユニットを停止する（ステップＳ４８）。また、変化がないと判断すると、第４モードを開始してから第１１所定時間（例えば１０分）経過したかを判断する（ステップＳ４６）。第１１所定時間を経過していないと判断すると、ステップＳ４５の処理を繰り返し行い、運転停止用のスイッチＳＷＣに変化がなければ連続してポンプ２１を駆動させる。一方、第１１所定時間経過したものと判断すると第４モードを終了する（ステップＳ４７）。そして、すべてのユニットを停止する（ステップＳ４８）。【０１０５】
そして、熱媒体変換機制御装置５２は、空気抜き運転の履歴として、日時及び終了時間のデータを記憶装置５３に記録して（ステップ４９）、空気抜き運転モードによる運転を完了する（ステップ５０）。【０１０６】
以上のように、実施の形態１の空気調和装置１００によれば、熱媒体循環回路Ｂを施工したときに、熱媒体変換機制御装置５２により異物除去運転、空気抜き運転を実行するようにしたので、効率良く異物除去、空気抜きを行うことができる。また、異物除去運転、空気抜き運転の履歴に係るデータを記憶装置５３に記憶するようにしたので、例えばメンテナンス時等において、運転を行ったかどうかを表示装置５４に表示して確認等することができる。このため、例えば機器が故障したときに異物や空気が混入したまま、機器を稼動させたことで機器が故障したかどうか等、原因の特定支援を行うことができる。ここでは表示装置５４とするが、例えば外部読み取り装置であってもよい。【０１０７】
実施の形態２．
図１０は本発明の実施の形態２に係る空気調和装置１００の施工時における熱媒体充填に係る手順を説明する図である。上述した空気調和装置１００のように、異物除去運転モードと空気抜き運転モードとによる運転可能な空気調和装置において、熱媒体充填時に図１０に示す手順で行うようにする。
【０１０８】
まず、冷媒循環回路Ａ、熱媒体循環回路Ｂの施工、配線・配管施工等のユニット設置が完了すると（ステップＳ５１）、室内機空気抜き弁４０と熱媒体変換機空気抜き弁４１とを開として、熱媒体循環回路Ｂ内部と外部とを連通させる（ステップＳ５２）。ここで、例えば、室内機２の位置が、熱媒体変換機３よりも高さにおいて上の位置にある場合には、熱媒体変換機空気抜き弁４１は閉止していてもよい。【０１０９】
図１１は熱媒体注入の一例を説明する図である。次に、熱媒体変換機熱媒体注入口４４、室内機熱媒体注入口４３ａ〜４３ｄの少なくとも１つの注入口から熱媒体を注入する（ステップＳ５３）。ここで、図１１のようにある室内機２の位置が、熱媒体変換機３が有するその高さがポンプ２１の揚程よりも高さにおいて上の位置にある場合には、その室内機２の室内機熱媒体注入口４３から、熱媒体を注入するとよい。ここで、本実施の形態では、ステップＳ５３において熱媒体を注入するようにしたが、ここでの熱媒体は異物除去のために用い、後に排出するものであるため、必ずしも熱媒体である必要はない。ただ、コンタミネーション等を考慮すれば熱媒体又は熱媒体に近い液体であることが望ましい。【０１１０】
そして、室内機空気抜き弁４０ａ〜４０ｄ、熱媒体変換機空気抜き弁４１ａ〜４１ｂから熱媒体が流出したものと判断すると（ステップＳ５４）、実施の形態１で説明した異物除去モードでの運転を行う（ステップＳ５５）。ここで、特に限定するものではないが、開いた室内機空気抜き弁４０ａ〜４０ｄ及び熱媒体変換機空気抜き弁４１ａ〜４１ｂのすべての弁から熱媒体の流出を確認してから運転を行うようにすることが望ましい。【０１１１】
異物除去モードでの運転が終了したら、熱媒体循環回路Ｂから熱媒体を排出させる（ステップＳ５６）。そして、各ストレーナ４２において、異物を補足するための網部（図示せず）の取出し、洗浄及び再取付を行う（ステップＳ５７）。【０１１２】
次に、ステップＳ５３と同様に、熱媒体変換機熱媒体注入口４４、室内機熱媒体注入口４３ａ〜４３ｄの少なくとも１つの注入口から熱媒体を注入する（ステップＳ５８）。室内機空気抜き弁４０ａ〜４０ｄ及び熱媒体変換機空気抜き弁４１ａ〜４１ｂから熱媒体が流出したら（ステップＳ５９）、実施の形態１で説明した空気抜きモードでの運転を行う（ステップ６０）。【０１１３】
ここで、空気抜きモードでの運転終了時に、室内機空気抜き弁４０、熱媒体変換機空気抜き弁４１のいずれかの空気抜き弁から空気が出ていた場合（ステップＳ６１）、再度、空気抜きモードでの運転を行う。空気が出ていない場合には、室内機空気抜き弁４０及び熱媒体変換機空気抜き弁４１を閉止して（ステップＳ６２）、完了する（ステップＳ６３）。
【符号の説明】
【０１１４】
１  室外機、２，２ａ〜２ｄ  室内機、３  熱媒体変換機、４，４ａ，４ｂ  冷媒配管、５  配管、６  室外空間、７  室内空間、８  空間、９  建物、１０  圧縮機、１１  第１冷媒流路切替装置、１２  熱源側熱交換器、１３ａ〜１３ｄ  逆止弁、１５，１５ａ，１５ｂ  熱媒体間熱交換器、１６，１６ａ，１６ｂ  絞り装置、１７，１７ａ，１７ｂ  開閉装置、１８，１８ａ，１８ｂ  第２冷媒流路切替装置、１９  アキュムレーター、２１，２１ａ，２１ｂ  ポンプ、２２，２２ａ〜２２ｄ  第１熱媒体流路切替装置、２３，２３ａ〜２３ｄ  第２熱媒体流路切替装置、２５，２５ａ〜２５ｄ  熱媒体流量調整装置、２６，２６ａ〜２６ｄ  利用側熱交換器、３１，３１ａ，３１ｂ  第１温度センサー、３４，３４ａ〜３４ｄ  第２温度センサー、３５，３５ａ〜３５ｄ  第３温度センサー、３６  第１圧力センサー、３７  第２圧力センサー、３８ 第３圧力センサー、３９，３９ａ〜３９ｄ  吸込空気温度検知装置、４０，４０ａ〜４０ｄ  室内機空気抜き弁、４１，４１ａ，４１ｂ  熱媒体変換機空気抜き弁、４２，４２ａ，４２ｂ ストレーナ、４３，４３ａ〜４３ｄ  室内機熱媒体注入口、４４  熱媒体変換機熱媒体注入口、５０ 第４温度センサー、５２  熱媒体変換機制御装置、５３  記憶装置、５４  表示装置、５７ 室外機制御装置、１００  空気調和装置、Ａ  冷媒循環回路、Ｂ  熱媒体循環回路。
【図１】
0005921714.tif 000002
【図２】
0005921714.tif 000003
【図３】
0005921714.tif 000004
【図４】
0005921714.tif 000005
【図５】
0005921714.tif 000006
【図６】
0005921714.tif 000007
【図７】
0005921714.tif 000008
【図８】
0005921714.tif 000009
【図９】
0005921714.tif 000010
【図１０】
0005921714.tif 000011
【図１１】
0005921714.tif 000012